(57)【要約】      （修正有）【課題】冊子状に束ねた用紙において、使用の終わった用紙をめくると、引き続き次頁の用紙のコーナーを容易に保護することができ、また、用紙の枚数が変化して冊子の厚みが変わっても、使用中の用紙を適度に押さえることができる手段を提供する。【解決手段】冊子状の用紙２１の第一頁のおもて面に接する保護片２と、冊子の厚みに対応する対応片８と、前記冊子の第一頁よりも後方の用紙に接する支持片とからなり、保護片２と対応片８と支持片が連続しており、保護片が保護対象に貼り付けられていないことを特徴とする用紙コーナーの保護具。【選択図】図２
2009012435.tif 000002
【特許請求の範囲】
【請求項１】
冊子状の用紙の第一頁のおもて面に接する保護片と、
冊子の厚みに対応する対応片と、
前記冊子の第一頁よりも後方の用紙に接する支持片とからなり、
前記保護片と前記対応片と前記支持片が連続しており、
前記保護片が保護対象に貼り付けられていないことを特徴とする用紙コーナーの保護具。
【請求項２】
前記保護片が用紙コーナーの形状に即した外縁を有することを特徴とする請求項1に記載の用紙コーナーの保護具。
【請求項３】
前記支持片が前記保護具の一端に存する第一支持片と前記保護具の他端に存する第二支持片とからなり、
前記第一支持片が前記第二支持片に対する取付手段を備えることを特徴とする請求項１又は２に記載の用紙コーナーの保護具。
【請求項４】
前記支持片が前記保護具の一端に存する第一支持片と前記保護具の他端に存する第二支持片とからなり、
前記第一支持片と前記第二支持片の少なくとも一方が前記冊子の最終頁に対する取付手段を備えることを特徴とする請求項１又は２に記載の用紙コーナーの保護具。
【請求項５】
前記取付手段が、繰り返して付け外しできる手段であることを特徴とする請求項３又は請求項４に記載の保護具。
【請求項６】
前記第一支持片と前記第二支持片の双方が前記冊子の最終頁に対する取り付け手段を備えており、前記最終頁が台紙であることを特徴とする請求項４に記載の用紙コーナーの保護具。
【発明の詳細な説明】
【技術分野】
【０００１】
本発明は、冊子状に束ねた用紙において、冊子の第１ページの用紙のコーナーを保護する部材に関する。
【背景技術】
【０００２】
【特許文献１】特許公表公報平成１０年第５０３４３６号公報
【０００３】
【特許文献２】実用新案公開平成７年第４０６６号公報
【０００４】
机上に用紙を置き、用紙に記載された情報を見ながら、パソコン入力等の作業を行う場合、腕が用紙に触れたり用紙上を摺り動いたりするために、用紙の角がめくれあがる場合がある。一度めくれあがると、以降、用紙はめくれ上がり易くなり、いっそう扱いにくくなって、用紙がしわになったり、コーナーが擦り切れたりする。
【０００５】
用紙のコーナーを保護する部材として、実公平７―４０６６公報に記載の考案がある。この考案は、直角部を少なくとも一つもった薄い平板状の補強体（ａ，ｂ）に付着手段を設けた紙用コーナー保護具（４０，４１，４２，４３）であり、付着手段は用紙のおもて面、うら面のいずれにも設けられ、保護具が用紙から容易に外れないようにされている。
【０００６】
同公報の実施例４に記載の考案では、補強体の付着手段として、付け剥がしが繰り返し使用可能で剥がしたあとが残らない接着剤を用いるものが記載されているが、この場合も、やはり付着手段は用紙のおもて面、うら面のいずれにも設けられ、保護具が用紙から容易に外れないようにされている（図８）。
【発明の開示】
【発明が解決しようとする課題】
【０００７】
本発明は、冊子状に束ねた用紙において、冊子の第１ページの用紙のコーナーを保護する部材を提供することを課題とする。
【０００８】
また、保護の必要がある場合に当該保護部材使用し、保護の必要がなくなったときには容易に部材を取り外すことができる保護具を提供することを課題とする。
【０００９】
また、冊子状に束ねた用紙において、使用の終わった用紙をめくると、引き続き次頁の用紙のコーナーを容易に保護することができる保護部材を提供することを課題とする。
【００１０】
また、冊子状に束ねた用紙において、用紙の枚数が変化することにより冊子の厚みが変わっても、使用中の用紙を適度に押さえることができる保護部材を提供することを課題とする。
【課題を解決するための手段】
【００１１】
冊子状の用紙の第一頁のおもて面に接する保護片と、冊子の厚みに対応する対応片と、前記冊子の第一頁よりも後方の用紙に接する支持片とからなり、前記保護片と前記対応片と前記支持片が連続しており、前記保護片が保護対象に貼り付けられていないことを特徴とする用紙コーナーの保護具によって課題を解決する。
【００１２】
保護具が保護する対象は、紙素材の長方形の用紙が冊子状になったものである。市販のレポート用紙のように、全ての用紙の後ろに台紙が付き、台紙が最終ページとなっているものも対象である。
【００１３】
保護具は、保護片と対応片と支持片からなる。保護片は用紙のコーナーのおもて面を被い用紙のおもて面を保護する。対応片は保護片と連続しており用紙コーナーのおもて面に引き続いて冊子の厚み方向に冊子を被い、厚み方向に用紙を保護する。
【００１４】
対応片が対応する「厚み」は、用紙ほぼ一枚分の厚みに過ぎないごく薄いものである場合もある。支持片は、保護具を保護対象に取り付けるために機能するものであり、保護片と協働し保護片と相対する位置で保護対象を挟んでいる。支持片は、冊子の、第一頁よりも後方の用紙と接している。支持片は対応片と連続していることから、支持片が冊子の第一頁よりも後方の用紙と接することは、結果的に支持片が対応片との境界部分で折れ曲がり、保護片と相対する位置で保護対象を挟むことを意味する。
【００１５】
保護片が用紙を覆う範囲は、用紙の本来の利用目的である書く行為の邪魔にならず、かつコーナーの傷みを保護できる範囲である。
【００１６】
冊子の第一頁よりも後方の用紙とは、重なって冊子状になった複数の用紙の、第二頁以降のことである。前述のとおり、冊子は、最終頁が台紙の場合もあり、そのような「台紙」も支持片が接する対象である。支持片は、そのような用紙のおもて面と接してもうら面と接しても良い。また、接する方法は、糊付けであっても良いし、例えば、台紙に設けられた切込みに支持片をはめ込む、といった方法でも良い。支持片を用紙から取り外すことが容易でもよいし、支持片を用紙から取り外すことが困難でも良い。
【００１７】
また、明細書及び特許請求の範囲において保護対象を冊子状の「用紙」と称するが、対象は必ずしも紙製のものに限らない。紙と同様、薄くて角が傷みやすいものが冊子状になっていれば、この保護具を用いて傷まないよう保護することができる。
【００１８】
前記保護片が保護対象に貼り付けられていないようにすることにより容易に冊子のページをめくることができる。例えば、実公平７―４０６６公報に記載の保護具のように、保護対象を保護する部材が、何らかの付着手段により保護対象に貼り付けられている場合、ある用紙での作業が終わり、次の用紙で作業をしようとするときには、保護具を保護対象から剥がしとる必要があった。しかし、保護片が保護対象に貼り付けられていないことにより、保護対象であった用紙を保護具から容易に引き抜くことができる。用紙は冊子状になっているので、一枚の用紙を引き抜くと、引き続いて次の用紙が現れ、次の用紙のコーナーの保護が保護具により保護されつつ、用紙を用いて行う作業を継続することができる。なお、この効果は、支持片が、保護対象である用紙に取り付けられていないことにより得られるものである。
【００１９】
用紙コーナーとは冊子の第一頁の用紙の角のことである。例えば、用紙の使用者が右利きの場合、使用者の右腕が用紙の右下の角に擦れることが多いと考えられるので、この場合には特に用紙の右下の角のことである。保護すべき角が左下の角の場合、保護具はそれに対応した向きになる。
【００２０】
保護片と対応片と支持片は連続しており、一続きになっている。連続したものにすることにより、各片の境界、特に対応片と支持片の境界が明確でないようにすることができる。各片の境界が明確でないようにすることにより、冊子の厚みに対応する対応片の位置と幅を、冊子の厚みの変化に応じて変更することができる。
【００２１】
保護片と対応片と支持片は一枚の紙等で製作されていてもよい。一枚の紙等で製作される場合、製造が容易で低コストであり、接合部の脆弱さがない。
【００２２】
保護具の素材は、紙、軟質合成樹脂製のシート、布、皮、等である、保護具の表面に、文字や図柄を付して広告等に利用できる。合成樹脂性のシートでは、耐久性、防水性、透過性に優れた製品となる。
【００２３】
前記保護片が用紙コーナーの形状に即した外縁を有することを特徴とする用紙コーナーの保護具によって課題を解決する。
【００２４】
「保護片が用紙コーナーの形状に即した外縁を有する」とは、保護片の外縁の形状の少なくとも一部が、用紙コーナーの形状に即した形状となっていることを意味する。保護片の外縁のうち用紙コーナーの形状に即した形状となっている部分は、通常は対応片が引き続き存する境界部分である。対応片との境界部分が保護対象である用紙コーナーの形状に即していることにより、対応片は、用紙の厚みにぴったり沿うよう位置し、用紙コーナーの保護が十分にできる。また、保護具が保護対象からずれ動くことがなくなる。保護片の外縁の形状の一例として、用紙のコーナーの形状に即した三角形状が挙げられる。保護片を用紙のコーナーの形状に即したL型にしてもよい。用紙のコーナーに沿ったL字型にすると、文字を書く部分を多く確保でき、また、ページをめくるのがやり易くなる。傷みを防ぐべき範囲が広い場合には大きなL字型にすればよい。
【００２５】
前記支持片が前記保護具の一端に存する第一支持片と前記保護具の他端に存する第二支持片とからなり、前記第一支持片が前記第二支持片に対する取付手段を備えることを特徴とする用紙コーナーの保護具によって課題を解決する。
【００２６】
支持片が保護具の一端と他端の双方に存することにより、保護具を用紙の冊子に確実に取り付けることができる。前記保護具の一端に存する支持片と前記保護具の他端に存する支持片とが互いに接する構造とすることにより、保護具と保護対象とが貼り付けられている箇所が存在しないようにすることが可能である。保護対象が保護具が貼り付けられる対象として不向きである場合に、対応できる。
【００２７】
前記支持片が前記保護具の一端に存する第一支持片と前記保護具の他端に存する第二支持片とからなり、前記第一支持片と前記第二支持片の少なくとも一方が前記冊子の最終頁に対する取付手段を備えることを特徴とする用紙コーナーの保護具によって課題を解決する。
【００２８】
保護片が取り付け手段によって保護対象に取り付けられることにより、使用中に保護具が保護対象からずれ動くことがなく、コーナーの保護が強化される。
【００２９】
そのような取付手段は、例えば以下のとおりである。一方の支持片にスリットを設け、他方の支持片の先端をスリットに挿し入れるようにしてもよい。二つの支持片それぞれにマジックテープ（登録商標）を設けてもよい。一方の支持片に両面テープを取り付け、他方の支持片と貼り付けるようにしてもよい。
【００３０】
前記取付手段が、繰り返して付け外しできる手段であることを特徴とする保護具によって課題を解決する。
【００３１】
取付手段とは、例えば、付け外しが容易で取り外した際に取り付けた痕跡が用紙に残りにくいタイプの接着剤である。取り付け手段として繰り返して付け外しできる手段を用いることにより、保護対象の用紙の使用が進んで冊子の厚みが少なくなった場合に、取付手段を外して貼りなおし、対応片が冊子の厚みにより適切に対応するよう、対応片の幅を調節することができる。
【００３２】
前記第一支持片と前記第二支持片の双方が前記冊子の最終頁に対する取り付け手段を備えており、前記最終頁が台紙であることを特徴とする用紙コーナーの保護具によって課題を解決する。
【００３３】
最終頁が台紙であって、保護具が台紙に取り付けられる場合、全ての用紙を使い切るまでの間、保護具を機能させることができる。また、台紙は用紙として使用するものでなく、用紙を使い終わった場合には破棄することを予定しているため、保護具の取付手段として、取り外すことを前提としない手段を用いることができる。これにより、取り付けが、堅固になる。
【発明を実施するための最良の形態】
【００３４】
（第一の実施形態）
図１から図４に第一の実施形態の保護部材を示す。第一の実施形態では、保護部材の支持片が冊子の裏側で互いに接していない。
【００３５】
図１に示すとおり、保護部材１０は、形が短冊状である。短冊状の場合、製作が容易であり、一枚の原紙から多くの製品を作成でき資源の無駄がない。紙に取り付けた状態はおもてから見ると図２に示すとおりである。うら面から見ると図３に示すとおりである。図３では冊子の厚みを省略している。保護部材１０は、保護対象に取り付ける際の機能により、保護片（２，３）と、二つの支持片（４，５）及び（６，７）、および冊子の厚みに対応する対応片（８）とに分けることができる。
【００３６】
保護片（２，３）は、用紙のコーナーをおもて面から保護するものとして実際に機能する部分である。支持片（４，５）及び（６，７）は、冊子の裏面に貼り付き、保護片が用紙から離れないように機能している。対応片（８）は冊子の厚みに対応している。保護部材（１０）は一続きの部材であり、保護片、対応片、支持片の各片は明確な境界で仕切られていない。支持片を、冊子の裏面に、付け外し可能な接着剤で貼り付けるようにし、冊子の枚数が減って冊子の厚みが変わった場合に、冊子の厚みに応じて対応片（８）の位置と幅を変更することができる。
【００３７】
保護部材のうち保護片（うら）（３）には接着剤を施さない。保護片（うら）（３）に接着剤を施さないことにより、冊子の第１ページの使用が終わりページをめくるに当たり保護部材が影響を及ぼさない。従って、第１ページのコーナーを保護部材から引き抜くようにするだけで、保護部材を使用していないときと同様にページをめくることができページをめくると引き続いて次のページの用紙のコーナーが保護される。
【００３８】
支片（うら）（５）および支片（うら）（７）の片方又は両方に接着剤が施されている。支片（うら）（５）および支片（うら）（７）の片方にのみ接着剤が施されている場合、残りの一方は、冊子の自重により用紙から外れにくくなっている。
【００３９】
ここで用いる接着剤は、付け剥がしを繰り返し行うことができ、剥がした後の残らない接着剤、例えばPOST-IT（登録商標）に用いられている接着剤を用いる。これにより、コーナーの保護が不要になったときには、保護部材を取り外すことにより、冊子は保護部材使用前の状態に戻る。
【００４０】
冊子の束が、ベースに厚紙の台紙を備えている場合、図４に示すように、保護部材（１０）の支片の一方を予め台紙に取り付けておくことができる。保護部材（１０）の他の部分は、いたむことのないよう折りたたみ、冊子内の、たとえば台紙と用紙の間に収められている。図では、台紙の外側に保護部材の支持片が取り付けてあるが、台紙の内側に取り付けてあってもかまわない。
【００４１】
（第二の実施形態）
図５から図７に第二の実施形態の保護部材を示す。第二の実施形態では、保護部材の支持片が冊子の裏側で互いに接している。第二の実施形態にかかる保護部材では、支持片を互いに貼り付けることによって保護部材が完成し保護対象に貼り付ける必要がないことが特徴である。
【００４２】
保護部材３０は、図５に示すとおりの形体である。用紙に取り付けた状態をおもてから見ると図６に示すとおりであり、うら面から見ると図７に示すとおりである。図６及び図７では冊子の厚みを省略している。保護部材は、保護片（３１）、対応片（３８）、支持片（３２、３３）からなる。保護片、対応片、支持片、の各機能は、第一の実施形態と同様である。保護部材は一続きであり、各片は、明確な境界で仕切られていない。
【００４３】
冊子の厚みに応じて対応片の位置と幅を変更する点は第一の実施形態と同様である。
【００４４】
保護片（３１）の裏側に接着剤を施さない点は第一の実施形態と同様である。
【００４５】
支片先端３４，３５が接しており、接着剤により互いに貼り付けられている。支片先端３４，３５が接着することにより、保護片３１は完成し、接着した支片３２、３３が形成する空所に用紙２１のコーナーをはめ込むことにより、保護部材として機能しうる。
【図面の簡単な説明】
【００４６】
【図１】第一の実施形態の保護部材を示す
【図２】第一の実施形態の保護部材を用紙に取り付けた状態のおもて面を示す。
【図３】第一の実施形態の保護部材を用紙に取り付けた状態のうら面を示す。
【図４】第一の実施形態の保護部材を用紙に取り付けた状態のうら面を示す。
【図５】第二の実施形態の保護部材を示す。
【図６】第二の実施形態の保護部材を用紙に取り付けた状態のおもて面を示す。
【図７】第二の実施形態の保護部材を用紙に取り付けた状態のうら面を示す。
【図８】従来例を示す。
【符号の説明】
【００４７】
２  保護片（おもて）
３  保護片（うら）
４，６  支持片（おもて）
５，７  支持片（うら）
８  対応片
１０  保護部材
２０  冊子
２１  用紙（おもて）
２２  冊子（うら）
３０  保護部材
３１  保護片
３２，３３  支持片
３４，３５  支持片先端
３８  対応片
４０，４１，４２，４３  紙用コーナー保護具
ａ，ｂ 補強体
【図１】
2009012435.tif 000003
【図２】
2009012435.tif 000004
【図３】
2009012435.tif 000005
【図４】
2009012435.tif 000006
【図５】
2009012435.tif 000007
【図６】
2009012435.tif 000008
【図７】
2009012435.tif 000009
【図８】
2009012435.tif 000010
【手続補正書】
【提出日】平成19年7月13日(2007.7.13)
【手続補正１】
【補正対象書類名】図面
【補正対象項目名】全図
【補正方法】変更
【補正の内容】
【図１】
2009012435.tif 000011
【図２】
2009012435.tif 000012
【図３】
2009012435.tif 000013
【図４】
2009012435.tif 000014
【図５】
2009012435.tif 000015
【図６】
2009012435.tif 000016
【図７】
2009012435.tif 000017
【図８】
2009012435.tif 000018